(57)【要約】  火災発生時に、短時間で昇降路内の安全確認を行うエレベーター制御システムを得る。  エレベーターを備える建物（１）の昇降路（４）に対向し、前記昇降路（４）を昇降する前記エレベーターのかご（５）に設けられ、火災により発生し前記昇降路（４）内の空気中に浮遊している異物を検出するかご検出器（１１）と、前記昇降路４を昇降する釣り合いおもり（６）に設けられ、前記昇降路（４）内の空気中に浮遊している前記異物を検出するおもり検出器（１２）と、前記建物（１）で火災発生を検出した場合に、火災発生を検出した火災発生階から上方に前記釣り合いおもり（６）を停止させるとともに前記釣り合いおもり（６）が停止している階床とは異なる階床に前記かご（５）を停止させる制御盤（１０）とを備える。
2016166829.tif 000002
【特許請求の範囲】
【請求項１】
エレベーターを備える建物の昇降路に対向し、前記昇降路を昇降する前記エレベーターのかごに設けられ、火災により発生し前記昇降路内の空気中に浮遊している異物を検出するかご検出器と、  前記昇降路を昇降する釣り合いおもりに設けられ、前記昇降路内の空気中に浮遊している前記異物を検出するおもり検出器と、  前記建物で火災発生を検出した場合に、火災発生を検出した火災発生階から上方に前記釣り合いおもりを停止させるとともに前記釣り合いおもりが停止している階床とは異なる階床に前記かごを停止させる制御盤とを備えるエレベーター制御システム。
【請求項２】
前記制御盤は、前記かご検出器及び前記おもり検出器の検出結果に基づいて前記エレベーターの使用可否を階床ごとに判断する診断運転を実行する請求項１に記載のエレベーター制御システム。
【請求項３】
前記制御盤は、前記火災発生階が前記エレベーターの乗場扉のある階床のうち最も上方に位置する最上階と前記乗場扉のある階床のうち最も下方に位置する最下階との中央に位置する中間階より上方の場合、前記診断運転において、前記火災発生階から上方における前記昇降路内の空気中に浮遊している前記異物を前記おもり検出器に検出させる請求項２に記載のエレベーター制御システム。
【請求項４】
前記制御盤は、前記火災発生階が前記中間階から下方の場合、前記診断運転において、前記中間階から上方における前記昇降路内の空気中に浮遊している前記異物を前記おもり検出器に検出させる請求項２または請求項３に記載のエレベーター制御システム。
【請求項５】
前記制御盤は、前記診断運転において前記かご検出器が最下階における前記昇降路内の空気中に浮遊している前記異物を検出すると当該診断運転を終了して前記建物内にいる避難者を予め決められた避難階へエレベーターで誘導する避難運転を実行し、前記診断運転時に前記エレベーターを使用可能と判断した階床を前記避難運転の対象とする請求項２から請求項４のいずれか一項に記載のエレベーター制御システム。
【請求項６】
前記制御盤は、前記診断運転において、前記かごを停止させ、前記かご検出器及び前記おもり検出器をリセットした後に前記昇降路内の空気中に浮遊している前記異物を検出させる請求項２から請求項５のいずれか一項に記載のエレベーター制御システム。
【請求項７】
前記制御盤は、前記建物で火災が発生した場合に、前記かごを前記避難階へ移動させて前記かご内にいる避難者を避難させた後に、前記診断運転を実行する請求項２から請求項６のいずれか一項に記載のエレベーター制御システム。
【請求項８】
診断運転スイッチを備え、  前記制御盤は、前記建物で火災発生を検出した場合に前記前記診断運転スイッチが操作されると、前記診断運転を制御する請求項２から請求項７のいずれか一項に記載のエレベーター制御システム。
【請求項９】
前記かご内に設けられるかご報知装置を備え、  前記制御盤は、前記かごが前記避難階に到着すると、前記かご内にいる避難者に対し避難誘導を前記かご報知装置に報知させる請求項１から請求項８のいずれか一項に記載のエレベーター制御システム。
【発明の詳細な説明】
【技術分野】
【０００１】  この発明は、火災発生時に、建物内の避難者の避難支援を行うエレベーター制御システムに関する。
【背景技術】
【０００２】  避難用エレベーターは、建物で火災が発生すると、通常運転から、建物内にいる避難者を予め決められた避難階（例えば、玄関階）へ避難させる避難運転に切り換わる。従来の避難用エレベーターは、かごの昇降路に面した上面及び下面に検出器等のセンサを備え、火災発生後、避難運転に切り換わる前に、当該かごを昇降させて昇降路内の煙等の状態を検出して昇降路内の安全を確認する（例えば、特許文献１）。
【先行技術文献】
【特許文献】
【０００３】
【特許文献１】特開２０１１−１９００４９号公報
【発明の概要】
【発明が解決しようとする課題】
【０００４】  しかしながら、特許文献１に記載の避難用エレベーターにあっては、センサは、かごのみに設けられるため、安全確認に時間がかかっていた。【０００５】  この発明は、上述の問題を解決するためになされたものであり、火災発生時に、短時間で昇降路内の安全確認を行うエレベーター制御システムを得る。
【課題を解決するための手段】
【０００６】  この発明に係るエレベーター制御システムは、エレベーターを備える建物の昇降路に対向し、前記昇降路を昇降する前記エレベーターのかごに設けられ、火災により発生し前記昇降路内の空気中に浮遊している異物を検出するかご検出器と、前記昇降路を昇降する釣り合いおもりに設けられ、前記昇降路内の空気中に浮遊している前記異物を検出するおもり検出器と、前記建物で火災発生を検出した場合に、火災発生を検出した火災発生階から上方に前記釣り合いおもりを停止させるとともに前記釣り合いおもりが停止している階床とは異なる階床に前記かごを停止させる制御盤とを備える。
【発明の効果】
【０００７】  この発明によれば、かご及び釣り合いおもりに設けた検出器がそれぞれ異なる階床における昇降路内の状態を検出するので、昇降路内の安全確認に要する時間を短縮できる。
【図面の簡単な説明】
【０００８】
【図１】この発明の実施の形態１を示すエレベーター制御システムを備える建物の概略図である。
【図２】この発明の実施の形態１を示すエレベーター制御システムの機能ブロック図である。
【図３】この発明の実施の形態１を示すかご出入口の正面図である。
【図４】この発明の実施の形態１を示す制御部のハードウェア構成図である。
【図５】この発明の実施の形態１を示す建物において火災発生を検出した場合における火災管制運転時の制御部のフローチャートである。
【図６】この発明の実施の形態１を示す火災発生階が中間階よりも上方の場合における診断運転時の制御部のフローチャートである。
【図７】この発明の実施の形態１を示す火災発生階が中間階または中間階よりも下方の場合における診断運転時の制御部のフローチャートである。
【発明を実施するための形態】
【０００９】実施の形態１．  図１は、この実施の形態におけるエレベーター制御システムを備える建物１の概略図である。建物１には、例えば、１階から５階までが設けられる。建物１には、１階から５階までを貫く昇降路４が設けられる。１階は、エレベーターの乗場扉（図示せず）のある階床のうち最も下方に位置する最下階１ｄであり、５階は、乗場扉のある階床のうち最も上方に位置する最上階１ｅである。なお、昇降路４は、全階床を貫く構成でなくても良く、例えば、図１において、１階から４階までを貫く構成としても良い。建物１において、３階は、最下階１ｄと最上階１ｅとの中間に位置する中間階１ｃである。なお、建物１において、最下階１ｄと最上階１ｅとの中間に位置する階床が複数ある場合、中間階１ｃは、当該中間に位置する階床のうち下方に位置する階床である。建物１には、火災発生時に建物１内にいる避難者が建物１の外へ避難できる避難階１ａが予め決められている。避難階１ａは、例えば、玄関階としても良いし、その他の階床としても良い。図１の例では、避難階１ａは、玄関階に定められており、かつ、玄関階が最下階１ｄであるので、避難階１ａ及び最下階１ｄは、同一階床である。
【００１０】  建物１の各階床には、火災の発生を検出すると火災検出信号を出力する火災検出器２が設けられる。火災検出信号は、各火災検出器２からエレベーターの制御盤１０へ直接出力される構成としても良いし、各火災検出器２から建物１内の設備等の監視を行うビルマネージメントシステムへ出力してから制御盤１０へ転送される構成としても良いし、その他の構成としても良い。
【００１１】  ここで、４階で火災が発生した場合、４階は、火災発生階１ｂとなる。なお、４階以外の階床で火災が発生した場合、当該火災が発生した階床が火災発生階１ｂである。また、複数階床で火災が発生した場合、火災発生階１ｂは、複数存在する。
【００１２】  避難階１ａには、診断運転スイッチ３が設けられる。診断運転スイッチ３は、火災検出器２のいずれかが火災発生を検出した場合に、後述する診断運転を開始する際に操作される。診断運転スイッチ３は、操作されると、制御盤１０へ診断運転開始信号を出力する。診断運転スイッチ３は、例えば、スプリングバック式のスイッチであり、操作されると閉成して診断運転開始信号を制御盤１０へ出力し、操作を解除されると開放状態に戻って診断運転開始信号の出力を停止する。
【００１３】  昇降路４内において、かご５及び釣り合いおもり６は、ロープ７に釣支される。ロープ７は、巻上機８及びそらせ車９に巻き掛けられる。エレベーターの運転を制御する制御盤１０が巻上機８を回転駆動させると、ロープ７が移動し、かご５及び釣り合いおもり６が昇降する。
【００１４】  かご５には、昇降路４に対向する位置に、かご検出器１１が設けられる。釣り合いおもり６には、おもり検出器１２が設けられる。かご検出器１１及びおもり検出器１２は、火災検出器２のいずれかが火災発生を検出すると、後述する診断運転において、火災により発生し昇降路４内の空気中に浮遊している異物、例えば、煙を検出する。かご検出器１１は、かご伝送ケーブル１３により制御盤１０と接続する。おもり検出器１２は、おもり伝送ケーブル１４により制御盤１０と接続する。かご伝送ケーブル１３には、電力供給に使用される電源ケーブル１３ａと信号の伝送に使用される信号ケーブル１３ｂとが含まれる。また、おもり伝送ケーブル１４には、電力供給に使用される電源ケーブル１４ａと信号の伝送に使用される信号ケーブル１４ｂとが含まれる。なお、図１において、かご検出器１１は、かご５の上面に設けられるが、これに限らず、例えば、かご５の下面に設けても良い。
【００１５】  図２は、この実施の形態におけるエレベーター制御システムの機能ブロック図である。エレベーター制御システムは、火災検出器２、診断運転スイッチ３、かご５、制御盤１０、かご検出器１１、おもり検出器１２、駆動装置１５を備える。
【００１６】  制御盤１０は、制御部１０１、電源１０２、かごリレースイッチ１０３、おもりリレースイッチ１０４を備える。制御部１０１は、火災検出器２、診断運転スイッチ３、かご５、かごリレースイッチ１０３、おもりリレースイッチ１０４、駆動装置１５と接続する。また、制御部１０１は、信号ケーブル１３ｂを介してかご検出器１１の検出部１１ｂと接続する。さらに、制御部１０１は、信号ケーブル１４ｂを介しておもり検出器１２の検出部１２ｂと接続する。電源１０２は、かごリレースイッチ１０３、おもりリレースイッチ１０４と接続する。かごリレースイッチ１０３は、電源ケーブル１３ａを介してかご検出器１１の電源１１ａと接続する。おもりリレースイッチ１０４は、電源ケーブル１４ａを介しておもり検出器１２の電源１２ａと接続する。
【００１７】  制御部１０１は、建物１において火災が発生した場合に、火災管制運転、診断運転、避難運転の各運転モードにおいて、駆動装置１５を制御して巻上機８を回転駆動させることでエレベーターの運転を制御する。ここで、火災管制運転は、火災検出器２のいずれかが火災発生を検出した場合に、かご５内に乗車している避難者を避難階１ａに避難させる運転モードである。診断運転は、昇降路４内の煙を検出し、安全に避難運転を行えるか診断する運転モードである。診断運転は、火災管制運転終了後に、診断運転スイッチ３が操作されると開始する。避難運転は、診断運転終了後に、診断運転においてエレベーターを避難手段として使用可能と判断した階床にいる避難者を、エレベーターを使用して避難階へ避難させる運転モードである。
【００１８】  制御部１０１は、かごリレースイッチ１０３、おもりリレースイッチ１０４のＯＮ／ＯＦＦを切り換える。制御部１０１は、かごリレースイッチ１０３をＯＮに切り換えることにより、電源１０２からかごリレースイッチ１０３及び電源ケーブル１３ａを介してかご検出器１１の電源１１ａへ電力を供給させる。制御部１０１は、かごリレースイッチ１０３をＯＦＦに切り換えると、電源１１ａへの電力供給を遮断させる。同様に、制御部１０１は、おもりリレースイッチ１０４をＯＮに切り換えることにより、電源１０２からおもりリレースイッチ１０４及び電源ケーブル１４ａを介しておもり検出器１２の電源１２ａへ電力を供給させる。制御部１０１は、おもりリレースイッチ１０４をＯＦＦに切り換えると、電源１２ａへの電力供給を遮断させる。
【００１９】  かご５は、かごボタン５１、かご扉駆動装置５２、かごスピーカー５３を備える。かごボタン５１は、かご５内に複数設けられ、避難運転時に、避難者の避難を誘導する避難誘導員または消防士がかご呼び登録を行う場合に操作される。かご扉駆動装置５２は、制御部１０１から出力される戸開閉指令信号により、後述するかご扉５４を開閉させる。かごスピーカー５３は、かご報知装置であり、かご５内に設けられ、火災管制運転時及び避難運転時に、制御部１０１から出力されるアナウンス制御信号により、かご５内にいる避難者に対し、避難を誘導するアナウンスを流す。
【００２０】  かご検出器１１は、電源１１ａ及び検出部１１ｂを備える。電源１１ａは、電源１０２から電力を供給されると、かご検出器１１を作動させる。検出部１１ｂは、かご検出器１１作動時に、昇降路４内の煙を検出し、検出結果を信号ケーブル１３ｂを介して制御部１０１に出力する。
【００２１】  おもり検出器１２は、電源１２ａ及び検出部１２ｂを備える。電源１２ａは、電源１０２から電力を供給されると、おもり検出器１２を作動させる。検出部１２ｂは、おもり検出器１２作動時に、昇降路４内の煙を検出し、検出結果を信号ケーブル１４ｂを介して制御部１０１に出力する。
【００２２】  駆動装置１５は、巻上機８に電力を供給して巻上機８を回転駆動させるインバータである。
【００２３】  図３は、この実施の形態におけるかご５出入口の正面図である。かご５内には、かごボタン５１、かごスピーカー５３、かご扉５４が設けられる。かご扉５４は、かご５の出入口に設けられ、前述のかご扉駆動装置５２により移動してかご５の出入口を開閉する。
【００２４】  図４は、この実施の形態における制御部１０１のハードウェア構成図である。制御部１０１は、ＣＰＵ１０１ａ、ＲＯＭ１０１ｂ、ＲＡＭ１０１ｃ、入力回路１０１ｄ、出力回路１０１ｅで構成される。ＣＰＵ１０１ａは、中央演算装置である。ＲＯＭ１０１ｂは、読み出しメモリであり、各運転モードを実行する動作プログラムを記憶する。ＲＡＭ１０１ｃは、ＣＰＵ１０１ａがＲＯＭ１０１ｂに記憶される動作プログラムを実行するために必要なデータを記憶するメモリである。入力回路１０１ｄは、火災検出器２、信号ケーブル１３ｂ、１４ｂと接続し、入力信号を制御部１０１に対応する信号に変換する。出力回路１０１ｅは、かごリレースイッチ１０３、おもりリレースイッチ１０４、駆動装置１５と接続し、出力信号を出力先の機器に対応する信号に変換する。
【００２５】  各運転モードは、ＣＰＵ１０１ａがＲＯＭ１０１ｂに記憶される動作プログラムを実行することにより実施される。火災検出器２が火災発生を検出した階床、かご検出器１１及び釣り合いおもり検出器１２が出力した検出結果及び当該検出結果に基づく診断結果は、ＲＡＭ１０１ｃに記憶される。火災検出器２、かごボタン５１、検出部１１ｂ、１２ｂから制御部１０１への入力信号は、入力回路１０１ｄにより制御部１０１に対応する信号に変換される。制御部１０１からかごスピーカー５３、かごリレースイッチ１０３、おもりリレースイッチ１０４への出力信号は、出力回路１０１ｅにより出力先の機器に対応する信号に変換される。
【００２６】  次に、図５から図７に基づいて、火災検出器２が火災発生を検出した場合の制御部１０１の動作を説明する。図５は、この実施の形態における建物１において火災発生を検出した場合における火災管制運転時の制御部１０１のフローチャートである。図６は、火災発生階１ｂが中間階１ｃよりも上方の場合における診断運転時の制御部１０１のフローチャートである。図７は、火災発生階１ｂが中間階１ｃまたは中間階１ｃよりも下方の場合における診断運転時の制御部１０１のフローチャートである。
【００２７】  図５において、ステップ（以下、Ｓと称す。）１で、制御部１０１は、火災検出器２が火災発生を検出したか判断する。火災発生を検出した場合、Ｓ２に進み、火災発生を検出していない場合、Ｓ１に戻る。
【００２８】  Ｓ２で、制御部１０１は、エレベーターの運転モードを通常運転から火災管制運転モードに切り換える。制御部１０１が運転モードを切り換えると、Ｓ３に進む。
【００２９】  Ｓ３で、制御部１０１は、かご５を避難階１ａへ移動させる。制御部１０１がかご５を移動させる制御信号を駆動装置１５に出力するとＳ４に進む。
【００３０】  Ｓ４で、制御部１０１は、かご５が避難階１ａに到着したか判断する。かご５が避難階１ａに到着した場合、Ｓ５に進み、かご５が避難階１ａに到着していない場合、Ｓ４に戻る。
【００３１】  Ｓ５で、制御部１０１は、かご扉駆動装置５２に、かご扉５４を開く戸開指令信号を出力する。制御部１０１が戸開指令信号を出力すると、Ｓ６に進む。
【００３２】  Ｓ６で、制御部１０１は、かご５に乗車している避難者に対し、かごスピーカー５３からアナウンスを流す。制御部１０１は、例えば「火災が発生しておりますので、避難してください。」等のアナウンスをかごスピーカー５３から流す。制御部１０１がかごスピーカー５３からアナウンスを流すとＳ７に進む。
【００３３】  Ｓ７で、制御部１０１は、戸開指令信号を出力していから一定時間が経過したか判断する。一定時間が経過した場合、Ｓ８に進み、経過していない場合、Ｓ６に戻る。
【００３４】  Ｓ８で、制御部１０１は、かご扉駆動装置５２に、かご扉５４を閉める戸閉指令信号を出力する。制御部１０１が戸閉指令信号を出力すると、火災管制運転のフローを終了する。
【００３５】  次に、図６に基づいて、火災発生階１ｂが中間階１ｃよりも上方の場合における診断運転時の制御部１０１の動作を説明する。制御部１０１は、建物１で火災が発生すると、火災検出器２から出力される火災検出信号を受信すると、当該火災検出信号から火災発生階１ｂが中間階１ｃよりも上方であるか否かを判断する。火災発生階１ｂが中間階１ｃよりも上方の場合、制御部１０１は、図５に示す火災管制運転を終了した後に、診断スイッチ３が操作されると、図６に示す診断運転を実行する。
【００３６】  図６において、Ｓ１１で、制御部１０１は、避難階１ａに設けられる診断運転スイッチ３から診断運転開始信号を受信したか判断する。診断運転開始信号を受信した場合、Ｓ１２に進み、診断運転開始信号を受信していない場合、Ｓ１１に戻る。
【００３７】  Ｓ１２で、制御部１０１は、釣り合いおもり６が火災発生階１ｂに位置するようにかご５を移動させる。例えば、建物１には１階から５階まであり、４階が火災発生階１ｂの場合、制御部１０１は、釣り合いおもり６が火災発生階１ｂである４階に位置するように、かご５を２階に移動させる。制御部１０１がかご５を移動させると、Ｓ１３に進む。
【００３８】  Ｓ１３で、制御部１０１は、かごリレースイッチ１０３及びおもりリレースイッチ１０４をＯＦＦに切り換える。これにより、制御部１０１は、かご検出器１１及びおもり検出器１２への電力供給を遮断する。制御部１０１がかごリレースイッチ１０３及びおもりリレースイッチ１０４をＯＦＦに切り換えると、Ｓ１４に進む。
【００３９】  Ｓ１４で、制御部１０１は、かご検出器１１の検出部１１ｂ及びおもり検出器１２の検出部１２ｂから検出結果を受信していないか判断する。検出部１１ｂ、１２ｂから検出結果を受信していない場合、Ｓ１５に進み、検出部１１ｂ、１２ｂから検出結果を受信している場合、Ｓ１４に戻る。
【００４０】  Ｓ１５で、制御部１０１は、かごリレースイッチ１０３及びおもりリレースイッチ１０４をＯＮに切り換える。これにより、制御部１０１は、電源１０２に、かご検出器１１及びおもり検出器１２へ電力を供給させる。制御部１０１がかごリレースイッチ１０３及びおもりリレースイッチ１０４をＯＮに切り換えると、Ｓ１６に進む。
【００４１】  Ｓ１６で、制御部１０１は、検出部１１ｂ、１２ｂから出力された検出結果を記憶する。制御部１０１が検出結果を記憶するとＳ１７に進む。
【００４２】  Ｓ１７で、制御部１０１は、Ｓ１６で記憶した検出結果に基づき、かご５及び釣り合いおもり６がそれぞれ停止している階床を避難運転の対象にできるか判断し、判断結果を記憶する。制御部１０１が判断結果を記憶すると、Ｓ１８に進む。
【００４３】  Ｓ１８で、制御部１０１は、かご５が建物１の最下階１ｄに到着したことを検出したか判断する。かご５が最下階１ｄに到着している場合、フローを終了し、かご５が最下階１ｄに到着していない場合、Ｓ１９に進む。
【００４４】  Ｓ１９で、制御部１０１は、かご５を一つ下の階床へ移動させる。制御部１０１がかごを移動させると、Ｓ１３に戻る。制御部１０１は、かご５が最下階１ｄに到着するまで、Ｓ１３からＳ１９までの処理を繰り返す。
【００４５】  かご５が最下階１ｄに到着すると、制御部１０１は、診断運転のフローを終了する。制御部１０１は、診断運転のフローを終了すると、運転モードを避難運転に切り換える。
【００４６】  次に、図７に基づいて、火災発生階１ｂが中間階１ｃまたは中間階１ｃよりも下方の場合における診断運転時の制御部１０１の動作を説明する。制御部１０１は、建物１で火災が発生すると、火災検出器２から出力される火災検出信号を受信すると、当該火災検出信号から火災発生階１ｂが中間階１ｃよりも上方であるか否かを判断する。火災発生階１ｂが中間階１ｃまたは中間階１ｃよりも下方の場合、すなわち、火災発生階１ｂが中間階１ｃから下方の場合、制御部１０１は、図５に示す火災管制運転を終了した後に、診断スイッチ３が操作されると、図７に示す診断運転を実行する。
【００４７】  図７において、Ｓ２１の処理は、図６におけるＳ１１の処理と同様である。
【００４８】  Ｓ２２で、制御部１０１は、かご５を建物１の中間階１ｃに移動させる。例えば、建物１には１階から５階まであり、３階が火災発生階１ｂの場合、制御部１０１は、かご５を３階に移動させる。あるいは、建物１には１階から６階まであり、２階が火災発生階１ｂの場合、制御部１０１は、かご５を３階に移動させる。制御部１０１がかごを移動させると、Ｓ２３に進む。
【００４９】  Ｓ２３からＳ２９までの処理は、図６におけるＳ１３からＳ１９の処理と同様である。
【００５０】  制御部１０１は、図７に示す診断運転のフローを終了すると、図６の場合と同様に、運転モードを避難運転に切り換える。
【００５１】  制御部１０１は、図６または図７に示す診断運転を終了すると、建物１内に取り残された避難者を避難階１ａに誘導する避難運転を実行する。避難運転において、制御部１０１は、かごボタン５１のうちＳ１７またはＳ２７で避難運転の対象にできないと判断した階床に該当するボタンが操作された場合、当該かごボタン５１の操作によるかご呼び登録を無効にする。
【００５２】  以上述べたように、この実施の形態におけるエレベーター制御システムは、火災発生時に、かご５に設けたかご検出器１１と釣り合いおもり６に設けたおもり検出器１２とで、昇降路４内の互いに異なる階床における煙を検出するので、昇降路４内の安全を確認する診断運転に要する時間を短縮することができる。
【００５３】  また、この実施の形態におけるエレベーター制御システムは、火災発生階１ｂが中間階１ｃより上方の場合、火災発生階１ｂから上方における煙の検出をおもり検出器１２で行うので、煙がかご５に侵入する恐れがなく、より安全に診断運転を行うことができる。
【００５４】  また、この実施の形態におけるエレベーター制御システムは、エレベーターを備える建物１の昇降路４に対向し、昇降路４を昇降するエレベーターのかご５に設けられ、火災により発生し昇降路４内の空気中に浮遊している異物を検出するかご検出器１１と、昇降路４を昇降する釣り合いおもり６に設けられ、昇降路４内の空気中に浮遊している異物を検出するおもり検出器１２とを備える。さらに、エレベーター制御システムは、建物１で火災発生を検出した場合に、火災発生を検出した火災発生階から上方に釣り合いおもり６を停止させるとともに釣り合いおもり６が停止している階床とは異なる階床にかご５を停止させる制御盤１０を備える。これにより、エレベーター制御システムは、かご検出器１１とおもり検出器１２とでそれぞれ異なる階床における昇降路４内の状態を検出するので、昇降路４内の安全確認に要する時間を短縮できる。
【００５５】  また、この実施の形態におけるエレベーター制御システムにあっては、制御盤１０は、かご検出器１１及びおもり検出器１２の検出結果に基づいてエレベーターの使用可否を階床ごとに判断する診断運転を実行する。これにより、エレベーター制御システムは、階床ごとにエレベーターを避難手段として使用可能か否かを判断できる。
【００５６】  また、この実施の形態におけるエレベーター制御システムにあっては制御盤１０は、火災発生階１ｂが建物１の中央に位置する中間階１ｃより上方の場合、診断運転において、火災発生階１ｂから上方における昇降路４内の空気中に浮遊している異物をおもり検出器１２に検出させる。これにより、エレベーター制御システムは、火災発生階１ｂから上方の煙をおもり検出器により検出するので、かご５内に煙が侵入する恐れがなく、より安全に昇降路４内の煙を検出できる。
【００５７】  また、この実施の形態におけるエレベーター制御システムにあっては、制御盤１０は、火災発生階１ｂが中間階１ｃから下方の場合、診断運転において、中間階１ｃから上方における昇降路４内の空気中に浮遊している異物をおもり検出器１２に検出させる。これにより、エレベーター制御システムは、昇降路４内において煙が集まりやすい上方における煙をおもり検出器１２で検出するので、かご５内に侵入する煙の量を低減でき、より安全に昇降路４内の煙を検出できる。
【００５８】  また、この実施の形態におけるエレベーター制御システムにあっては、制御盤１０は、診断運転においてかご検出器１１が最下階における昇降路４内の空気中に浮遊している異物を検出すると当該診断運転を終了して建物１内にいる避難者を予め決められた避難階１ａへエレベーターで誘導する避難運転を実行し、診断運転時にエレベーターを使用可能と判断した階床を避難運転の対象とする。これにより、エレベーター制御システムは、診断運転終了後に、安全な階床を対象に避難運転を制御することができるので、避難者をより安全に避難階１ａへ誘導できる。
【００５９】  また、この実施の形態におけるエレベーター制御システムにあっては、制御盤１０は、診断運転において、かご５を停止させ、かご検出器１１及びおもり検出器１２をリセットした後に昇降路４内の空気中に浮遊している異物を検出させる。これにより、エレベーター制御システムは、かご検出器１１及びおもり検出器１２への電力供給を遮断してから再度電力を供給することで、階床ごとにかご検出器１１及びおもり検出器１２をリセットするので、先に検出した階床における検出結果の影響を受けることなく、煙を検出できる。
【００６０】  また、この実施の形態におけるエレベーター制御システムにあっては、制御盤１０は、建物１で火災が発生した場合に、かご５を避難階１ａへ移動させてかご５内にいる避難者を避難させた後に、診断運転を実行する。これにより、エレベーター制御システムは、火災発生時にかご５内に避難者がいる場合、当該避難者を避難階１ａに誘導してから昇降路４内の煙の検出を行うので、より安全に昇降路４内の煙を検出できる。
【００６１】  また、この実施の形態におけるエレベーター制御システムにあっては、診断運転スイッチ３を備え、制御盤１０は、建物１で火災発生を検出した場合に診断運転スイッチ３が操作されると、診断運転を制御する。これにより、エレベーター制御システムは、避難誘導員または消防士がかご５内に避難者がいないことを確認してから診断運転を開始できるので、より安全に昇降路４内の煙を検出できる。
【００６２】  また、この実施の形態におけるエレベーター制御システムにあっては、かご５内に設けられるかごスピーカー５３を備え、制御盤１０は、かご５が避難階１ａに到着すると、かご５内にいる避難者に対し避難誘導をかごスピーカー５３に報知させる。これにより、エレベーター制御システムは、かご５が避難階１ａに到着すると、かご５内にいる避難者に対して避難を誘導するアナウンスを流すので、避難者の避難を支援できる。
【００６３】  なお、この実施の形態におけるエレベーター制御システムは、煙を検出し、検出した結果から避難運転対象階を決定するとしたが、これに限らず、例えば、有害ガスを検出する構成としても良いし、その他の構成としても良い。
【００６４】  なお、火災発生階１ｂが建物１の中間階１ｃより上方に複数存在する場合、図６のＳ１１において、制御部１０１は、複数の火災発生階１ｂのうち中間階１ｃに最も近い火災発生階１ｂに位置するようにかご５を移動させる。
【００６５】  なお、火災発生階１ｂが建物１の中間階１ｃより上方及び中間階１ｃから下方それぞれに存在する場合、制御部１０１は、図７に示すフローに基づいて診断運転を制御する。
【００６６】  なお、図６に示す診断運転において、制御部１０１は、まず、釣り合いおもり６が火災発生階に位置するようにかご５を移動させ、かご５を下降させながら煙を検出するとしたが、これに限らず、まず、かご５を最下階１ｄに移動させ、釣り合いおもり６が火災発生階に位置するまでかご５を上昇させながら煙を診断する構成としても良い。
【００６７】  なお、図７に示す診断運転において、制御部１０１は、まず、かご５を中間階１ｃへ移動させ、かご５を下降させながら煙を検出するとしたが、これに限らず、まず、かご５を最下階１ｄに移動させ、かご５を中間階１ｃまで上昇させながら煙を診断する構成としても良い。
【００６８】  なお、図６に示す診断運転において、制御部１０１は、火災発生階１ｂから上方の全ての階床における煙をおもり検出器１２で検出するとしたが、これに限らず、例えば、火災発生階１ｂの煙のみを検出する構成としても良い。
【００６９】  なお、図７に示す診断運転において、制御部１０１は、中間階１ｃから上方の全ての階床における煙をおもり検出器１２で検出するとしたが、これに限らず、例えば、火災発生階１ｂの煙のみをかご検出器１１またはおもり検出器１２で検出する構成としても良い。
【００７０】  なお、診断運転スイッチ３は、避難階１ａの乗場に設けられるとしたが、これに限らず、例えば、避難階１ａ以外の複数の階床に設けられる構成としても良いし、かご５内に設けられる構成としても良いし、その他の構成としても良い。または、診断運転スイッチ３を設けず、制御部１０１は、火災管制運転を終了すると自動で診断運転を開始する構成としても良い。
【００７１】  なお、図５に示す火災管制運転において、制御部１０１は、かご５を避難階１ａに移動させ戸開指令信号を出力してから一定時間が経過すると戸閉指令信号を出力するとしたが、これに限らず、例えば、かご５に乗車人数検出器を設け、避難階１ａにおいてかご５内に乗車している避難者全員が降車したことを検出すると、制御部１０１は、戸閉指令信号を出力する構成としても良い。ここで、乗車人数検出器は、例えば、かご５の負荷荷重から乗車人数を検出する構成としても良いし、かご内に設けたカメラで取得した画像から乗車人数を検出する構成としても良いし、その他の構成としても良い。
【００７２】  なお、シャトルエレベーターのように全ての階床に乗場扉を設けない場合、制御部１０１は、乗場扉のない階床を診断運転の対象外としても良い。
【００７３】  なお、かご５内には、かご報知装置としてのかごスピーカー５３が設けられるとしたが、これに限らず、例えば、かご５内にディスプレーを設け、当該ディスプレーに避難を誘導するメッセージを表示させても良いし、その他の構成としても良い。
【符号の説明】
【００７４】  １  建物、１ａ  避難階、１ｂ  火災発生階、１ｃ  中間階、１ｄ  最下階、２  火災検出器、３  診断運転スイッチ、４  昇降路、５  かご、５３  かごスピーカー、６  釣り合いおもり、７  ロープ、８  巻上機、９  そらせ車、１０  制御盤、１０１  制御部、１０２  電源、１０３  かごリレースイッチ、１０４  おもりリレースイッチ、１１  かご検出器、１２  おもり検出器、１３  かご伝送ケーブル、１４  おもり伝送ケーブル、１５  駆動装置
【図１】
2016166829.tif 000003
【図２】
2016166829.tif 000004
【図３】
2016166829.tif 000005
【図４】
2016166829.tif 000006
【図５】
2016166829.tif 000007
【図６】
2016166829.tif 000008
【図７】
2016166829.tif 000009
【国際調査報告】
2016166829.tif 000010
2016166829.tif 000011
2016166829.tif 000012
2016166829.tif 000013